(57)【特許請求の範囲】
【請求項１】
現実の又は仮想のショップ側に注文が可能な「『食品もしくは飲料』又は『料理』」の味に関するデータを記録しておくための食品又は料理等味データ記録手段と、
ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、
ユーザー側により選択された或る「『食品もしくは飲料』又は『料理』」について、前記食品又は料理等味データ記録手段からの味データと前記ユーザー側味嗜好データ記録手段からのユーザー側味嗜好データとに基づいて、前記選択された「『食品もしくは飲料』又は『料理』」の味がユーザー側の好み又は好みの傾向と合うかどうかを判定するための判定手段と、
前記判定手段による判定結果をユーザー側端末に送信又は出力するための判定結果出力手段と、
を備えたことを特徴とする仮想試食又は試飲システム。
【請求項２】
「現実の又は仮想のショップ側に注文が可能な、『食品もしくは飲料』又は『料理』」の味に関するデータを記録しておくための食品又は料理等味データ記録手段と、
ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、
前記の注文可能な複数の「『食品もしくは飲料』又は『料理』」の中からユーザー側により選択された或る「『食品もしくは飲料』又は『料理』」に関する味データであって前記食品又は料理等味データ記録手段から得られる味データと前記ユーザー側味嗜好データ記録手段から得られる前記ユーザー側の味嗜好データとに基づいて、前記選択された「『食品もしくは飲料』又は『料理』」の味が前記ユーザー側の好み又は好みの傾向と合うかどうかを判定するための判定手段と、
前記判定手段による判定結果をユーザー側端末に送信又は出力するための判定結果出力手段と、
を備えたことを特徴とする、仮想試食又は試飲システム。
【請求項３】
現実の又は仮想のショップ側のコンピュータもしくはセンター側のコンピュータにより管理される記録装置により構成され、現実の又は仮想のショップ側に注文が可能な複数の「『食品もしくは飲料』又は『料理』」の味に関するデータを記録しておくための食品又は料理等味データ記録手段と、
前記ショップ側のコンピュータもしくはセンター側のコンピュータにより管理される記録装置又はユーザー側端末に内蔵もしくは接続された記録装置により構成され、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、
前記ショップ側のコンピュータもしくはセンター側のコンピュータ又はユーザー側端末に備えられ又は構成され、ユーザー側により選択された或る「『食品もしくは飲料』又は『料理』」についての前記食品又は料理等味データ記録手段からの味データと前記ユーザー側味嗜好データ記録手段からのユーザー側味嗜好データとに基づいて、前記選択された「『食品もしくは飲料』又は『料理』」の味がユーザー側の好み又は好みの傾向と合うかどうかを判定するための判定手段と、
前記ショップ側のコンピュータもしくはセンター側のコンピュータ又はユーザー側端末に備えられ又は構成され、前記判定手段による判定結果をユーザー側端末に送信又は出力するための判定結果出力手段と、
を備えたことを特徴とする仮想試食又は試飲システム。
【請求項４】
現実の又は仮想のショップ側に注文が可能な「『食品もしくは飲料』又は『料理』」の味に関するデータを記録しておくための食品又は料理等味データ記録手段と、
ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、
現実の又は仮想のショップ側に注文が可能な複数の「『食品もしくは飲料』又は『料理』」の中からユーザー側により選択された「『食品もしくは飲料』又は『料理』」に関する情報を、ユーザー側から受信するための選択情報受信手段と、
前記選択情報受信手段により受信された情報に基づいて特定される、前記ユーザー側により選択された「『食品もしくは飲料』又は『料理』」の味がユーザー側の好み又は好みの傾向と合うかどうかを、前記食品又は料理等味データ記録手段からの味データと前記ユーザー側味嗜好データ記録手段からのユーザー側味嗜好データとに基づいて、判定するための判定手段と、
を備えたことを特徴とする仮想試食又は試飲システム。
【請求項５】
現実の又は仮想のショップ側に注文が可能な「『食品もしくは飲料』又は『料理』」の画像データを、ユーザー側で表示できるように、ユーザー側端末に提供又は送信するための食品又は料理等画像提供手段と、
現実の又は仮想のショップ側に注文が可能な「『食品もしくは飲料』又は『料理』」の味に関するデータを記録しておくための食品又は料理等味データ記録手段と、
ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、
前記食品又は料理等画像提供手段によりユーザー側端末に画像が提供又は送信された複数の「『食品もしくは飲料』又は『料理』」の中の前記ユーザー側により選択された「『食品もしくは飲料』又は『料理』」について、前記食品又は料理等味データ記録手段からの味データと前記ユーザー側味嗜好データ記録手段からのユーザー側味嗜好データとに基づいて、前記選択された「『食品もしくは飲料』又は『料理』」の味がユーザー側の好み又は好みの傾向と合うかどうかを判定するための判定手段と、
前記判定手段による判定結果をユーザー側端末に提供又は送信するための判定結果提供手段と、
を備えたことを特徴とする仮想試食又は試飲システム。
【請求項６】
現実の又は仮想のショップ側のコンピュータもしくはセンター側のコンピュータに備えられ又は構成され、現実の又は仮想のショップ側に注文が可能な「『食品もしくは飲料』又は『料理』」の画像データをユーザー側端末に提供又は送信するための食品又は料理等画像提供手段と、
前記ショップ側のコンピュータもしくはセンター側のコンピュータにより管理される記録装置又はユーザー側端末に内蔵もしくは接続された記録装置により構成され、現実の又は仮想のショップ側に注文が可能な「『食品もしくは飲料』又は『料理』」についての味に関するデータを記録しておくための食品又は料理等味データ記録手段と、
前記ショップ側のコンピュータもしくはセンター側のコンピュータにより管理される記録装置又はユーザー側端末に内蔵もしくは接続された記録装置により構成され、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、
前記ショップ側のコンピュータもしくはセンター側のコンピュータ又はユーザー側端末に備えられ又は構成され、前記食品又は料理等画像提供手段により提供又は送信された複数の「『食品もしくは飲料』又は『料理』」の中からユーザー側により選択された或る「『食品もしくは飲料』又は『料理』」に関する味データであって前記食品又は料理等味データ記録手段からの味データと、前記ユーザー側味嗜好データ記録手段からのユーザー側味嗜好データと、に基づいて、前記選択された「『食品もしくは飲料』又は『料理』」の味がユーザー側の好み又は好みの傾向と合うかどうかを判定するための判定手段と、
前記ショップ側のコンピュータもしくはセンター側のコンピュータ又はユーザー側端末に備えられ又は構成され、前記判定手段による判定結果をユーザー側端末に提供又は送信するための判定結果提供手段と、
を備えたことを特徴とする仮想試食又は試飲システム。
【請求項７】
現実の又は仮想のショップ側のコンピュータもしくはセンター側のコンピュータから受信した、現実の又は仮想のショップ側に注文が可能な「『食品もしくは飲料』又は『料理』」の画像が、表示されている状態で、前記画像が表示されている複数の「『食品もしくは飲料』又は『料理』」の中から、少なくとも一つの「『食品もしくは飲料』又は『料理』」を選択するための選択手段と、
前記選択手段により選択された「『食品もしくは飲料』又は『料理』」についての味に関する味データと、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）と、に基づいて為される、前記選択された「『食品もしくは飲料』又は『料理』」の味がユーザー側の好み又は好みの傾向と合うかどうかの判定の結果を、ユーザー側端末において受信又は出力するための判定結果出力手段と、
を備えたことを特徴とする仮想試食又は試飲システム。
【請求項８】
現実の又は仮想のショップ側のコンピュータもしくはセンター側のコンピュータから受信した、現実の又は仮想のショップ側に注文が可能な「『食品もしくは飲料』又は『料理』」の画像が、表示されている状態で、前記画像が表示されている複数の「『食品もしくは飲料』又は『料理』」の中から、少なくとも一つの「『食品もしくは飲料』又は『料理』」を選択するための選択手段と、
前記選択手段により選択された「『食品もしくは飲料』又は『料理』」についての味に関する味データと、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）と、に基づいて為される、前記選択された「『食品もしくは飲料』又は『料理』」の味がユーザー側の好み又は好みの傾向と合うかどうかの判定の結果を、ユーザー側端末において受信するための判定結果受信手段と、
前記判定結果受信手段により受信された判定結果を出力するための判定結果出力手段と、
を備えたことを特徴とする仮想試食又は試飲システム。
【請求項９】
現実の又は仮想のショップ側に注文が可能な「『食品もしくは飲料』又は『料理』」の画像データを、前記ショップ側のコンピュータもしくはセンター側のコンピュータから、受信するための食品又は料理等画像受信手段と、
前記食品又は料理等画像受信手段により受信した「『食品もしくは飲料』又は『料理』」画像をユーザー側で表示するための食品又は料理等画像表示手段と、
前記食品又は料理等画像表示手段により画面に表示される複数の「『食品もしくは飲料』又は『料理』」の中から、少なくとも一つの「『食品もしくは飲料』又は『料理』」を選択するための選択手段と、
前記選択された或る「『食品もしくは飲料』又は『料理』」についての味に関する味データと、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）と、に基づいて為される、前記選択された「『食品もしくは飲料』又は『料理』」の味がユーザー側の好み又は好みの傾向と合うかどうかの判定の結果を、受信するための判定結果受信手段と、
前記判定結果受信手段により受信された判定結果を出力するための判定結果出力手段と、
を備えたことを特徴とする仮想試食又は試飲システム。
【請求項１０】
現実の又は仮想のショップ側に注文が可能な「『食品もしくは飲料』又は『料理』」の画像データを、前記ショップ側のコンピュータもしくはセンター側のコンピュータから、受信するための食品又は料理等画像受信手段と、
前記食品又は料理等画像受信手段により受信した「『食品もしくは飲料』又は『料理』」画像をユーザー側で表示するための食品又は料理等画像表示手段と、
前記食品又は料理等画像表示手段により画面に表示される複数の「『食品もしくは飲料』又は『料理』」の中から選択された或る「『食品もしくは飲料』又は『料理』」についての、「前記ショップ側のコンピュータもしくはセンター側のコンピュータに管理される記録装置により構成され、現実の又は仮想のショップ側に注文が可能な「『食品もしくは飲料』又は『料理』」の味に関するデータを記録しておくための食品又は料理等味データ記録手段」からの味データと、「前記ショップ側のコンピュータもしくはセンター側のコンピュータにより管理される記録装置により構成され又はユーザー側端末に内蔵もしくは接続された記録装置により構成され、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段」からのユーザー側味嗜好データと、に基づいて為される、前記選択された「『食品もしくは飲料』又は『料理』」の味がユーザー側の好み又は好みの傾向と合うかどうかの判定の結果を、受信するための判定結果受信手段と、
前記判定結果受信手段により受信された判定結果を出力するための判定結果出力手段と、
を備えたことを特徴とする仮想試食又は試飲システム。
【発明の詳細な説明】
【０００１】
【産業上の利用分野】
本発明は、インターネットなどのネットワーク上に開設されたバーチャルショップでユーザーが食品・飲料又は料理や飲料の買い物をするときに、又は、ＣＡＴＶ・地上波・又は通信衛星によるテレビ放送（特に双方向型のテレビ放送）のテレビショッピングサービスなどを利用してユーザーが食品・飲料又は料理の買い物をするときに、その食品・飲料又は料理や飲料がユーザーの好みに合う味かどうか（ユーザーの味嗜好と相性が良いかどうか）を、商品注文する前にユーザーが確認することができる仮想試食又は試飲システムに関する。
【０００２】
【従来の技術】
従来より、インターネット上に開設されたバーチャルショップで、ユーザーが食品・飲料又は料理の画像を自宅のパソコンで視認しながら、購入の注文をして買い物をすることが行われている。また、放送によるテレビショッピングでも、ユーザーがテレビ画面で食品・飲料又は料理を見ながらその購入の注文をすることが行われている。
【０００３】
【発明が解決しようとする課題】
しかしながら、食品もしくは飲料又は料理は、その外観を画像で視認するだけでは実際の味が分からないので、購入した後に「このような味の食品もしくは飲料又は料理とは知らなかった（こんなことなら購入しなければ良かった）」と後悔することがしばしばである。また、そのことが、インターネットなどのバーチャルショップやテレビショッピングなどでの食品もしくは飲料又は料理の販売が大きくは普及していない原因の一つともなっている。
そこで、本発明は、ネットワークを介してオンラインで食品もしくは飲料の購入又は料理の注文（又は、それらの申込み）をするときに、又は、テレビ放送によるテレビショッピングサービスにより食品もしくは飲料の購入又は料理の注文（又は、それらの申込み）をするときなどに、その食品もしくは飲料又は料理の外観だけでなく「その味が自分の好み又は好みの傾向に合っているかどうか」を確認した上で購入又は注文（又は、それらの申込み）をすることができる、仮想試食又は試飲システムを提供することを目的とする。
【０００４】
【課題を解決するための手段】
（定義）本発明は、ユーザー側がインターネットなどのネットワーク上のバーチャルショップにアクセスしてネットワークを介してオンラインで食品・飲料又は料理を購入又は注文する場合はもちろん、それだけでなく、テレビ放送（特に、双方向型テレビ放送）により提供されるテレビショッピングサービスを利用するユーザー側が公衆電話網やインターネットなどのネットワークを介して食品もしくは飲料又は料理を購入又は注文する場合などでも、適用することができる。
（Ａ）また、本明細書において、本発明のシステムを利用できる「食品もしくは飲料の販売又は料理のサービスの形態」には、（１）「現実の店舗（百貨店などの小売店、又は、レストランなどの料理店）」の店内で利用する場合（現実の店舗において販売用に陳列された食品の味について個々のユーザー側の味嗜好との相性度を判定する場合。又は、現実のレストランにおいてメニューに掲載された料理の味について個々のユーザー側の味嗜好との相性度を判定する場合）と、（２）「カタログ通信販売」又は「寿司やピザなどの料理の出前の広告」を利用する場合（カタログに掲載された食品について個々のユーザー側の味嗜好との相性度を判定するために使用する場合。又は、料理の出前の広告に示された料理についてその味が個々のユーザー側の味嗜好と合致しているかどうかを判定する場合）と、（３）「インターネット上のバーチャルショップ（バーチャルモール）」を利用する場合と、（４）「現実の小売店舗」に販売用に陳列された個々の食品について、その食品の映像をインターネットで遠隔のユーザー側に送信し、遠隔のユーザー側との間でリアルタイムにその食品の販売（取引）を行うときに、その食品がそのユーザー側の味嗜好に合致しているかどうかを判定するために使用する場合（本出願人の出願している「遠隔商品販売システム」を発明の名称とする特開平１０−２２８５０６号公報参照（なお、この公報は、先行文献として本明細書に取り込む））、などのように、様々な販売等の形態があり得る。
すなわち、本発明は、現実の店舗（小売店、レストラン）にも、インターネット上のバーチャルショップにも、従来からの紙媒体（紙製の商品カタログ）を使用したカタログ通信販売業者にも、適用できるものである。
（Ｂ）なお、前記のバーチャルショップの販売等の形態に本発明を適用する場合、「ユーザー側の情報通信端末」には、ユーザー側が家庭又はオフィスなどの「固定環境」で使用する端末と、ユーザー側が「移動体環境＝モバイル環境」で使用する端末とがありうる。「移動体環境＝モバイル環境」で使用する端末には、ユーザー側が戸外に持ち出して使用する「携帯型」情報通信端末や、自動車などの交通機関に備えられて使用する「車載型」情報通信端末、などがあり得る。
（Ｃ）また、本発明において、「判定結果出力手段」は、判定結果を、店舗側に認識させるように出力してもよいし、ユーザー側端末に認識させるように出力してもよい。なお、以上の（Ａ）、（Ｂ）、（Ｃ）の部分は、平成１１年７月２３日付けの国内優先権主張出願で追加した部分である。
【０００５】
本明細書により提案する発明は次のとおりである。
１  現実の又は仮想のショップ側に注文が可能な「『食品もしくは飲料』又は『料理』」の味に関するデータを記録しておくための食品又は料理等味データ記録手段と、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、ユーザー側により選択された或る「『食品もしくは飲料』又は『料理』」について、前記食品又は料理等味データ記録手段からの味データと前記ユーザー側味嗜好データ記録手段からのユーザー側味嗜好データとに基づいて、前記選択された「『食品もしくは飲料』又は『料理』」の味がユーザー側の好み又は好みの傾向と合うかどうかを判定するための判定手段と、前記判定手段による判定結果をユーザー側端末に送信又は出力するための判定結果出力手段と、を備えたことを特徴とする仮想試食又は試飲システム。
２  「現実の又は仮想のショップ側に注文が可能な、『食品もしくは飲料』又は『料理』」の味に関するデータを記録しておくための食品又は料理等味データ記録手段と、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、前記の注文可能な「複数の、『食品もしくは飲料』又は『料理』」の中からユーザー側により選択された或る「『食品もしくは飲料』又は『料理』」に関する味データであって前記食品又は料理等味データ記録手段から得られる前記選択された「『食品もしくは飲料』又は『料理』」に関する味データと、前記ユーザー側味嗜好データ記録手段から得られる前記ユーザー側の味嗜好データと、に基づいて、前記選択された「『食品もしくは飲料』又は『料理』」の味が前記ユーザー側の好み又は好みの傾向と合うかどうかを判定するための判定手段と、前記判定手段による判定結果をユーザー側端末に送信又は出力するための判定結果出力手段と、を備えたことを特徴とする、仮想試食又は試飲システム。
３  現実の又は仮想のショップ側のコンピュータもしくはセンター側のコンピュータにより管理される記録装置により構成され、現実の又は仮想のショップ側に注文が可能な「複数の、『食品もしくは飲料』又は『料理』」の味に関するデータを記録しておくための食品又は料理等味データ記録手段と、前記ショップ側のコンピュータもしくはセンター側のコンピュータにより管理される記録装置又はユーザー側端末に内蔵もしくは接続された記録装置により構成され、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、前記ショップ側のコンピュータもしくはセンター側のコンピュータ又はユーザー側端末に備えられ又は構成され、ユーザー側により選択された或る「『食品もしくは飲料』又は『料理』」について、前記食品又は料理等味データ記録手段からの味データと前記ユーザー側味嗜好データ記録手段からのユーザー側味嗜好データとに基づいて、前記選択された「『食品もしくは飲料』又は『料理』」の味がユーザー側の好み又は好みの傾向と合うかどうかを判定するための判定手段と、前記ショップ側のコンピュータもしくはセンター側のコンピュータ又はユーザー側端末に備えられ又は構成され、前記判定手段による判定結果をユーザー側端末に送信又は出力するための判定結果出力手段と、を備えたことを特徴とする仮想試食又は試飲システム。
４  現実の又は仮想のショップ側に注文が可能な「『食品もしくは飲料』又は『料理』」の味に関するデータを記録しておくための食品又は料理等味データ記録手段と、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、現実の又は仮想のショップ側に注文が可能な複数の「『食品もしくは飲料』又は『料理』」の中からユーザー側により選択された「『食品もしくは飲料』又は『料理』」に関する情報を、ユーザー側から受信するための選択情報受信手段と、前記選択情報受信手段により受信された情報に基づいて特定される、前記ユーザー側により選択された「『食品もしくは飲料』又は『料理』」の味がユーザー側の好み又は好みの傾向と合うかどうかを、前記食品又は料理等味データ記録手段からの味データと前記ユーザー側味嗜好データ記録手段からのユーザー側味嗜好データとに基づいて、判定するための判定手段と、を備えたことを特徴とする仮想試食又は試飲システム。
５  現実の又は仮想のショップ側に注文が可能な「『食品もしくは飲料』又は『料理』」の画像データを、ユーザー側で表示できるように、ユーザー側端末に提供又は送信するための食品又は料理等画像提供手段と、現実の又は仮想のショップ側に注文が可能な「『食品もしくは飲料』又は『料理』」の味に関するデータを記録しておくための食品又は料理等味データ記録手段と、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、前記食品又は料理等画像提供手段によりユーザー側端末に画像が提供又は送信された複数の「『食品もしくは飲料』又は『料理』」の中の前記ユーザー側により選択された「『食品もしくは飲料』又は『料理』」について、前記食品又は料理等味データ記録手段からの味データと前記ユーザー側味嗜好データ記録手段からのユーザー側味嗜好データとに基づいて、前記選択された「『食品もしくは飲料』又は『料理』」の味がユーザー側の好み又は好みの傾向と合うかどうかを判定するための判定手段と、前記判定手段による判定結果をユーザー側端末に提供又は送信するための判定結果提供手段と、を備えたことを特徴とする仮想試食又は試飲システム。
６  現実の又は仮想のショップ側のコンピュータもしくはセンター側のコンピュータに備えられ又は構成され、現実の又は仮想のショップ側に注文が可能な「『食品もしくは飲料』又は『料理』」の画像データをユーザー側端末に提供又は送信するための食品又は料理等画像提供手段と、前記ショップ側のコンピュータもしくはセンター側のコンピュータにより管理される記録装置又はユーザー側端末に内蔵もしくは接続された記録装置により構成され、現実の又は仮想のショップ側に注文が可能な「『食品もしくは飲料』又は『料理』」についての味に関するデータを記録しておくための食品又は料理等味データ記録手段と、前記ショップ側のコンピュータもしくはセンター側のコンピュータにより管理される記録装置又はユーザー側端末に内蔵もしくは接続された記録装置により構成され、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段と、前記ショップ側のコンピュータもしくはセンター側のコンピュータ又はユーザー側端末に備えられ又は構成され、前記食品又は料理等画像提供手段により提供又は送信された複数の「『食品もしくは飲料』又は『料理』」の中からユーザー側により選択された或る「『食品もしくは飲料』又は『料理』」に関する味データであって前記食品又は料理等味データ記録手段からの味データと、前記ユーザー側味嗜好データ記録手段からのユーザー側味嗜好データと、に基づいて、前記選択された「『食品もしくは飲料』又は『料理』」の味がユーザー側の好み又は好みの傾向と合うかどうかを判定するための判定手段と、前記ショップ側のコンピュータもしくはセンター側のコンピュータ又はユーザー側端末に備えられ又は構成され、前記判定手段による判定結果をユーザー側端末に提供又は送信するための判定結果提供手段と、を備えたことを特徴とする仮想試食又は試飲システム。
７  現実の又は仮想のショップ側のコンピュータもしくはセンター側のコンピュータから受信した、現実の又は仮想のショップ側に注文が可能な「『食品もしくは飲料』又は『料理』」の画像が、表示されている状態で、前記画像が表示されている複数の「『食品もしくは飲料』又は『料理』」の中から、少なくとも一つの「『食品もしくは飲料』又は『料理』」を選択するための選択手段と、前記選択手段により選択された「『食品もしくは飲料』又は『料理』」についての、現実の又は仮想のショップ側に注文が可能な「『食品もしくは飲料』又は『料理』」の味に関する味データと、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）と、に基づいて為される、前記選択された「『食品もしくは飲料』又は『料理』」の味がユーザー側の好み又は好みの傾向と合うかどうかの判定の結果を、ユーザー側端末において受信又は出力するための判定結果出力手段と、を備えたことを特徴とする仮想試食又は試飲システム。
８  現実の又は仮想のショップ側のコンピュータもしくはセンター側のコンピュータから受信した、現実の又は仮想のショップ側に注文が可能な「『食品もしくは飲料』又は『料理』」の画像が、表示されている状態で、前記画像が表示されている複数の「『食品もしくは飲料』又は『料理』」の中から、少なくとも一つの「『食品もしくは飲料』又は『料理』」を選択するための選択手段と、前記選択手段により選択された「『食品もしくは飲料』又は『料理』」についての、現実の又は仮想のショップ側に注文が可能な「『食品もしくは飲料』又は『料理』」の味に関する味データと、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）と、に基づいて為される、前記選択された「『食品もしくは飲料』又は『料理』」の味がユーザー側の好み又は好みの傾向と合うかどうかの判定の結果を、ユーザー側端末において受信するための判定結果受信手段と、前記判定結果受信手段により受信された判定結果を出力するための判定結果出力手段と、を備えたことを特徴とする仮想試食又は試飲システム。
９  現実の又は仮想のショップ側に注文が可能な「『食品もしくは飲料』又は『料理』」の画像データを、前記ショップ側のコンピュータもしくはセンター側のコンピュータから、受信するための食品又は料理等画像受信手段と、前記食品又は料理等画像受信手段により受信した「『食品もしくは飲料』又は『料理』」画像をユーザー側で表示するための食品又は料理等画像表示手段と、前記食品又は料理等画像表示手段により画面に表示される複数の「『食品もしくは飲料』又は『料理』」の中から、少なくとも一つの「『食品もしくは飲料』又は『料理』」を選択するための選択手段と、前記選択された或る「『食品もしくは飲料』又は『料理』」についての、現実の又は仮想のショップ側に注文が可能な「『食品もしくは飲料』又は『料理』」の味に関する味データと、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）と、に基づいて為される、前記選択された「『食品もしくは飲料』又は『料理』」の味がユーザー側の好み又は好みの傾向と合うかどうかの判定の結果を、受信するための判定結果受信手段と、前記判定結果受信手段により受信された判定結果を出力するための判定結果出力手段と、を備えたことを特徴とする仮想試食又は試飲システム。
１０  現実の又は仮想のショップ側に注文が可能な「『食品もしくは飲料』又は『料理』」の画像データを、前記ショップ側のコンピュータもしくはセンター側のコンピュータから、受信するための食品又は料理等画像受信手段と、前記食品又は料理等画像受信手段により受信した「『食品もしくは飲料』又は『料理』」画像をユーザー側で表示するための食品又は料理等画像表示手段と、前記食品又は料理等画像表示手段により画面に表示される複数の「『食品もしくは飲料』又は『料理』」の中から選択された或る「『食品もしくは飲料』又は『料理』」についての、「前記ショップ側のコンピュータもしくはセンター側のコンピュータに管理される記録装置により構成され、現実の又は仮想のショップ側に注文が可能な「『食品もしくは飲料』又は『料理』」の味に関するデータを記録しておくための食品又は料理等味データ記録手段」からの味データと、「前記ショップ側のコンピュータもしくはセンター側のコンピュータにより管理される記録装置により構成され又はユーザー側端末に内蔵もしくは接続された記録装置により構成され、ユーザー側の「『食品もしくは飲料』又は『料理』」についての味の好みに関するユーザー側味嗜好データ（例えば、ユーザー側が好きな食品、飲料、もしくは料理の種類名、ユーザー側が好きな食品もしくは飲料の商品名またはメーカー名、ユーザー側が嫌いな食品、飲料もしくは料理の種類名、ユーザー側が嫌いな食品もしくは飲料の商品名またはメーカー名など）を記録しておくためのユーザー側味嗜好データ記録手段」からのユーザー側味嗜好データと、に基づいて為される、前記選択された「『食品もしくは飲料』又は『料理』」の味がユーザー側の好み又は好みの傾向と合うかどうかの判定の結果を、受信するための判定結果受信手段と、前記判定結果受信手段により受信された判定結果を出力するための判定結果出力手段と、を備えたことを特徴とする仮想試食又は試飲システム。
【０００６】
【発明の実施の形態】
実施形態１．
図１は本発明の実施形態１による仮想試食及び試飲システムを示すブロック図である。図１において、１はユーザー側に備えられたディスプレー、２はスピーカ、３は電子マネー及びユーザーの味の好みに関する情報を記録したＩＣカード、４はこのＩＣカード３に記録されたデータを読み取るためのカードリーダ、５５はキーボードなどの入力部、６は通信機能を有するパーソナルコンピュータ（パソコン）である。以上の１から６は、ユーザー（顧客）の自宅に備えられた装置である。また、７は公衆ネットワークの一つのインターネットである。
なお、前記のＩＣカード３には、ユーザーの味の好みのデータを記録した味嗜好データ保存部３ａと、貨幣価値をデジタルデータ化した電子マネーを記録する電子マネー保存部３ｂとが形成されている（例えば、具体的には、ＩＣカード３の記録装置の中に、ユーザーの味の好みに関するデータを示すファイルを保存する領域と、電子マネーのデータを示すファイルを保存する領域とが、形成されている）。
前記のＩＣカード３の中の味嗜好データ保存部３ａには、例えば、ユーザーが好きな食品・飲料又は料理の種類（例えば、ハンバーガー、ケーキ、チョコレート、ビール）、と嫌いな商品の種類（例えば、野菜の漬物、和菓子、日本酒）、好きな種類の商品の中で特に好きな商品の名前とメーカー名（例えば、マクドナルドのハンバーガー、風月堂のチーズケーキ、グリコ株式会社のポッキーという商品名の菓子、アサヒビール株式会社のドライというビールなど）を記録しておく。前記の味嗜好データ保存部３ａは、ユーザーが、食品メーカーなどが提供する所定の「味嗜好データ記入リスト」（例えば、食品メーカーが新商品のモニターに記入してもらうアンケート用紙のようなもの）に自分の味の嗜好を記入した記入内容などを保存している。
【０００７】
次に、図１において、８はインターネット７上のホームページにバーチャルショップを開設するためのネットワーク管理用コンピュータ（サーバー）である。また、９はこのバーチャルショップが提供する商品を記録する商品データベース、１０はこの商品データベース９からの商品画像及び商品詳細情報をユーザーに閲覧させるために画像データを提供する食品・飲料又は料理画像提供部、１１は前記商品データベース９に記録された食品・飲料又は料理の味に関するデータを保存する食品・飲料又は料理味データベース、１２は販売対象である食品・飲料又は料理の味がユーザーの味の好みに合うかどうかを判定するための判定部、１３はユーザーからの購入の注文とユーザーからの電子マネーとを受け付けて商品販売代金の決済をするための注文受付及び決済サーバー（コンピュータ）である。以上の８から１３までの部分は、バーチャルショップ側の装置を示している。なお、前記の食品・飲料又は料理味データベース１１には、食品・飲料又は料理の味に関する様々なデータを記録しておく。例えば、「マクドナルドのハンバーガーが好きな人は、当社（当該のバーチャルショップ）の提供するピザが好きなことが多い」、「風月堂のチーズケーキが好きな人は、当社の提供するババロアが好きな人が多い」「グリコ株式会社のポッキーという商品名の菓子が好きな人は、当社が提供する○○というチョコレート菓子が好きな人が多い」「アサヒビール株式会社のドライというビールが好きな人は、当社が提供する××というスナック菓子が好きな人が多い」などのデータを記録しておく。さらに、より専門的に、「ハンバーガー、ケーキ、チョコレート、及びビールが好きな人は、一般に、これこれの嗜好特性を有している」などの経験則（推論用のルール）をも記録しておく。
【０００８】
次に本実施形態の動作を説明する。まず、ユーザーがパソコン６を使用して、インターネット７からバーチャルショップにアクセスして、そこが販売対象として画像を提供している食品・飲料又は料理の画像を取り込んで、自分のパソコン６に接続したディスプレー１に表示させる。複数の食品・飲料又は料理を表示させた後に、それらの複数の食品・飲料又は料理の中のある一つの食品・飲料又は料理について購入を検討しようとしたとする。このとき、ユーザーは、この食品・飲料又は料理が「自分の味の好み又は好みの傾向に合っているかどうか」を知るために、まず、ＩＣカード３をカードリーダ４に差し込んで、ＩＣカード３の中の味嗜好データ保存部３ａのデータをパソコン６に読み込ませる。そして、この読み込んだ自分の味嗜好データと前記の購入を検討している食品・飲料又は料理の商品データ（商品番号など）とを一緒に、パソコン６から、バーチャルショップ側に送信する。以上のパソコン６の操作は、キーボードなどの入力部５を使用して行う。
バーチャルショップ側の管理サーバー８は、ユーザーから送信された前記の味嗜好データ及び食品・飲料又は料理の商品データを受け取ると、その味嗜好データと商品データとを、判定部１２に送信する。判定部１２は、この送られた商品データで特定される食品・飲料又は料理に関する味データを、前記食品・飲料又は料理味データベース１１から取り込む。そして、前記判定部１２は、前記のユーザーからの味嗜好データと、前記の食品・飲料又は料理味データベース１１からの前記食品・飲料又は料理に関する味データとを比較して、前記食品・飲料又は料理が「ユーザーの味の好み又は味の好みの傾向に合うかどうか」を判定する。判定部１２は、この判定結果を、前記サーバー８及びインターネット７を介して、ユーザー側に送信する。なお、前記判定部１２は、前記管理サーバー（コンピュータ）８により構成されるか又は前記サーバー８に接続されたコンピュータにより構成される。
ユーザー側では、この送信された判定結果を、ディスプレー１に表示させる。この表示される判定結果は、例えば、「本件の食品・飲料又は料理がユーザーの方の味の好みに合う可能性は、８０％」などのように、ポイント（点数、％）で表示したり、「この食品・飲料又は料理の味がユーザーの方の味の好みに合うレベル・ランクは、Ｂ」などのようにＡ，Ｂ，Ｃや上・中・下などの評価項目の形で、評価結果が示される。また、本実施形態では、前記判定結果を、スピーカ２から、所定の音声又は音響として出力させる（例えば、「味の好みが合う」と判定されたときは、所定の楽曲やメロディが流れるなど）こともできる。
次に、前記の判定結果が「その食品・飲料又は料理の味は、ユーザーの味の好みに合いそうだ」というものであったときは、ユーザーは、その食品・飲料又は料理の購入を決定する。そして、ユーザーは、その食品・飲料又は料理の注文データを入力部５を使用してパソコン６に入力すると共に、その食品・飲料又は料理の代金に相当する電子マネーを前記ＩＣカード３からカードリーダ４を介して前記パソコン６に入力する。そして、これらの注文データ及び電子マネーを、パソコン６（通信機能を有する）によりバーチャルショップ側に送信する。バーチャルショップ側では、この購入注文及び電子マネーを受け付けると、決済サーバー１３がその商品の代金データを前記商品データベース９から受け取って前記のユーザー側から送信された電子マネーの金額と比較する。そして、その食品・飲料又は料理の代金が前記電子マネーと一致していれば、決済を完了させ、その食品・飲料又は料理をユーザー側に宅配するための手続を採る。なお、本実施形態では、前記ユーザーの味データと電子マネーをＩＣカード３に記録するようにしているが、前記パソコン６に接続された外部記録装置（ハードディスク）６ａに記録するようにしてもよい。
【０００９】
以上のように、本実施形態では、ユーザーは、ある食品・飲料又は料理をバーチャルショップから購入するかどうかを検討するときに、その食品・飲料又は料理の外観を視認しながら、「その食品・飲料又は料理の味が自分の味の好みに合致しているかどうか」をも確認した上で、購入の決断をすることができるので、従来のように購入した後に実際に食べたとき「期待外れの味」で購入したことを後悔することがなくなり、購入をするときも「安心」して決断することができる。一般に、食品・飲料又は料理については、デパートやスーパーマーケットの食品・飲料又は料理売り場などでは様々な食品・飲料又は料理について「試食コーナー」が設けられて、顧客は試食した上で購入するかどうかを決断できるようにしているが、従来のインターネット上のバーチャルショップではこのような「試食」は物理的に不可能であった。本実施形態は、このような従来のバーチャルショップでの食品・飲料又は料理のショッピングでも「仮想的に試食・試飲」することを可能にすることにより、前述のようなバーチャルショップでのショッピングの欠点を是正するものである。
【００１０】
実施形態２．
次に、本発明の実施形態２を図２に基づいて説明する。図２において、図１と共通する部分には同一の符号を付して説明を省略する。本実施形態では、前記ユーザーの味の好みに関する味嗜好データは、ユーザー側でなく、バーチャルショップ側が、前記判定部１２に接続されたユーザーの味嗜好データベース２１の中に、保存するようにしている。これは、バーチャルショップ側（例えば、食品・飲料又は料理メーカーや食品・飲料又は料理小売店）が、リピーター客（お得意様）のユーザーのために、ユーザーの味の嗜好を記録するデータベースを構築するようにしているものである。このユーザーの味嗜好データベース２１は、例えば、前記ネットワーク管理用のサーバー８又はこのサーバー８に接続された判定部１２を構成するためのコンピュータに接続されて、ユーザーとのデータのやり取りに基づいて随時内容を更新する。
この実施形態２によっても、実施形態１とほぼ同様に、ユーザーは、購入を検討している食品・飲料又は料理の味が自分の好みと合っているかどうかを、購入の注文の前に、確認することができる。なお、この実施形態２では、ユーザーの味の好みのデータベース化を、バーチャルショップ側が、いわば「顧客サービス」の一環として行うようにしているので、ユーザー側は、自分で自分の味の好みのデータベースを構築しなくて済むので便利である。
【００１１】
実施形態３．
次に、本発明の実施形態３を図３に基づいて説明する。図３において、図１と共通する部分には同一の符号を付して説明を省略する。本実施形態では、前記ユーザーの味の好みに関する味嗜好データは、ユーザー側でもバーチャルショップ側でもなく、第三者的な中立機関（公的な機関）である「バーチャルショッピング支援センター」のネットワーク管理コンピュータ（サーバー）２３に接続されたユーザーの味嗜好データベース２２に保存されている。本実施形態では、ユーザーの味の嗜好も「ユーザーのプライバシーの一つ」であるという考えに立って、そのようなプライバシー情報を一企業に過ぎないバーチャルショップ側が構築するのではなく、例えば、食品・飲料又は料理メーカーの業界団体などが運営する前記センターなどの中立的で公的なセンターが管理するのが妥当との考えから、ネットワーク上に独立のデータベースを構築している。
本実施形態では、ユーザーが入力部５により「自分の味嗜好データを該当のバーチャルショップ側に送信してくれ」という依頼メッセージを作成し、これを前記パソコン６から、前記センターのサーバー２３に送信する。センターのサーバー２３は、この依頼を受けて、ユーザーの味嗜好データを、バーチャルショップ側に送信する。また、ユーザーは、ある食品・飲料又は料理が自分の味の嗜好と合っているかどうかの判定を依頼するメッセージを、購入検討対象の食品・飲料又は料理の商品番号データと共に、前記パソコン６から、前記バーチャルショップ側に送信する。バーチャルショップ側の判定部１２は、前記ユーザーからの判定依頼メッセージと、判定対象食品・飲料又は料理の商品番号と、前記センターのサーバー２３からのユーザーの味嗜好データとに基づいて、判定を行う。
この実施形態３によっても、実施形態１とほぼ同様に、ユーザーは、購入を検討している食品・飲料又は料理の味が自分の好みと合っているかどうかを、購入の注文の前に、確認することができる。また、この実施形態３では、ユーザーの味の好みのデータベース化を、第三者的なセンター側で行うようにしているので、ユーザーのプライバシーの一つである「ユーザーの味の好みのデータ」が漏洩する可能性を減らすことができる。
【００１２】
実施形態４．
図４は、本発明の実施形態４を示す図である。この実施形態４では、販売対象である食品・飲料又は料理の味データとユーザーの味嗜好データとから、その食品・飲料又は料理がユーザーの味の嗜好に合っているかどうかを判定するための判定部を、実施形態３で説明した前記の第三者的（公的）な「センター」側に備えるようにしている。すなわち、まず、ユーザーがある食品・飲料又は料理が自分の味嗜好に合っているかどうかの判定を希望するときは、ユーザー側のパソコン６から、「ある食品・飲料又は料理の味が自分の味嗜好に合っているかどうかの判定をして欲しい」とい依頼のメッセージを、判定を依頼する食品・飲料又は料理の商品番号と自分の味嗜好データ（前記ユーザーが保有するＩＣカード３の中の味嗜好データ保存部３ａに記録されているデータ）と共に、前記センター側のサーバー２３に送信する。これらのメッセージ及びデータを前記サーバー２３が受信すると、前記サーバー２３は、自己に接続された判定部（判定用コンピュータ）２５に、それらのメッセージ及びデータを転送する。また、サーバー２３は、バーチャルショップ側のサーバー８に対して、判定対象となる食品・飲料又は料理の味データを送信してくれるよう依頼する。バーチャルショップ側のサーバー８から前記の味データが送信されると、サーバー２３は、その味データを判定部２５に転送する。判定部２５では、前記の転送されたユーザーの味嗜好データ及び食品・飲料又は料理の味データに基づいて、その食品・飲料又は料理がユーザーの味嗜好に合っているかどうかの判定を行い、その判定結果を、ユーザー側のパソコン６に送信する。以上の点以外の構成及び動作は、実施形態１又は実施形態３とほぼ同様なので、説明を省略する。本実施形態４によれば、前記の判定をバーチャルショップ側ではなく、第三者的な中立的機関であるセンター側で行うようにしているので、ユーザーにとっては、「中立的な機関による信頼できる判定」が得られるようになる。
【００１３】
実施形態５．
図５は、本発明の実施形態５を示す図である。この実施形態５では、販売対象である食品・飲料又は料理の味データとユーザーの味嗜好データとから、その食品・飲料又は料理がユーザーの味の嗜好に合っているかどうかを判定するための判定部を、ユーザー側のパソコン６に接続したコンピュータにより構成する（又はパソコン６により構成する）ようにしている。すなわち、まず、ユーザーがある食品・飲料又は料理が自分の味嗜好に合っているかどうかの判定を希望するときは、ユーザー側のパソコン６から、「ある食品・飲料又は料理の味データを自分のパソコン６に送信して欲しい」という依頼メッセージを、バーチャルショップ側のサーバー８に送信する。このメッセージを前記サーバー２３が受信すると、前記サーバー２３は、前記食品・飲料又は料理味データベース１１から該当する食品・飲料又は料理の味データを抽出して、ユーザー側パソコン６に送信する。パソコン６は、この送信されてきた味データを、判定部２６に転送する。また、判定部２６は、ＩＣカード３のユーザーの味嗜好データ保存部３ａから、ユーザーの味嗜好データを転送してもらう。そして、判定部２６では、前記の転送されたユーザーの味嗜好データ及び食品・飲料又は料理の味データに基づいて、その食品・飲料又は料理がユーザーの味嗜好に合っているかどうかの判定を行い、その判定結果を、ユーザー側のパソコン６に送信する。以上の点以外の構成及び動作は、実施形態１とほぼ同様なので、説明を省略する。
【００１４】
実施形態６．
次に、本発明の実施形態６を図６に基づいて説明する。図６において、図１と共通する部分には同一の符号を付して説明を省略する。本実施形態では、前記ユーザーの味の好みに関する味嗜好データは、実施形態１と同様に、ＩＣカード３に記録されている。図１で説明した実施形態１では、ユーザーが自分で入力部５によりパソコン６を操作してバーチャルショップのあるホームページにアクセスして、販売対象となっている食品・飲料又は料理をディスプレー１に表示させて、その表示された複数の食品・飲料又は料理又は飲料の中から自分が購入を検討する食品・飲料又は料理を選択して、その食品・飲料又は料理について、「その味が自分の味の好みに合っているかどうか」を判定してもらいたいという判定依頼メッセージをバーチャルショップ側に送信して、バーチャルショップ側で判定をしてもらい、その判定結果を返信してもらった上で、購入するかどうかを決定し、購入の手続を行うようにしていた。つまり、実施形態１では、以上のような面倒な手順・手続を、ユーザーがいちいち自分で行うようにしていた。
これに対して、この実施形態４では、実施形態１においてユーザーが自分で行っていた以上の手順・手続や行為の一部を、「ショッピング・エージェント（代理人）」に行わせるようにしている。すなわち、本実施形態では、ユーザーは、エージェント２７に対して、入力部５により、自分が購入したい食品・飲料又は料理の種類（例えば、チョコレート菓子、ビールなど）、購入の価格帯（例えば、１，０００〜２，０００円など）、食品・飲料又は料理又は飲料の味の判定（その食品・飲料又は料理の味がユーザーの味の好みに合うかどうかの判定）の結果が８０点以上なら購入するなどの購入の条件を入力した上で、購入の検討と購入の手続を指示する。すると、エージェント２７は、ユーザーに代わって、前記の実施形態１でユーザーが行っていた行為の「一部」をエージェント２７が代行して行う（すなわち、エージェント２７を使用して購入する場合は、食品・飲料又は料理の画像をディスプレー１に表示させて視認するという行為は省略する。また、エージェント２７を使用する場合でも、安全のため、電子マネーを送信するという電子決済の行為だけは、ユーザー自身が行うようにして、エージェント２７には代行させないようにしている。もちろん、この電子決済のための電子マネーの送信行為も、エージェント２７に代行させることも可能ではあるが）。
なお、以上に述べたような「ショッピング・エージェント」技術は、既に実用化されている。例えば、１９９８年１２月１１日付け日経産業新聞の記事「スーパーメジャー時代到来  インターネット  ネットスケープが導火線  玄関巡る戦国時代に」によれば、次のような内容が掲載されている。「（地球最大の書店アマゾン・ドット・コムは、）今夏、買収した「ショッピング・エージェント（代理人）」のベンチャー企業、ジャングリーを活用し、アマゾンのホームページから衣料、コンピュータ、旅行などあらゆる電子商取引のサイトを検索できるサービスを始めた。」
【００１５】
本実施形態では、前記エージェント２７は、ユーザーからの指示に基づいて、バーチャルショップ側のサーバー８と交信して、販売対象の複数の食品・飲料又は料理の中から、ユーザーが指示した商品の種類や価格帯の条件に合うものをピックアップする。そして、そのピックアップした食品・飲料又は料理について、「その食品・飲料又は料理の味がユーザーの味嗜好に合致するかどうかを判定して欲しい」旨の判定依頼メッセージを、ユーザーの味嗜好データ（ＩＣカード３から引き出したデータ）と共に、バーチャルショップ側のサーバー８に送信する。サーバー８は、判定部１２に判定を指示する。判定部１２は、前記のエージェント２７から送信されたユーザーの味嗜好データと、食品・飲料又は料理味データベース１１からの該当する食品・飲料又は料理の味データとに基づいて、判定を行い、その結果をサーバー８に返す。サーバー８は、この判定結果をユーザー側のエージェント２７に送信する。エージェント２７は、この判定結果を参考にしながら、当該の食品・飲料又は料理を購入するかどうかを決定し、購入する場合はその注文をした上で、ユーザーに報告する。ユーザーは、この報告を受けて、電子マネーの送信を行う。
【００１６】
【発明の効果】
以上に説明したように、本発明によれば、ユーザー側は、（１）インターネットなどのネットワーク上のバーチャルショップが販売等の対象としている食品・飲料の購入又は料理の注文の申し込みをするときに、（２）テレビショッピングで販売等の対象とされた食品・飲料又は料理について購入又は注文の申し込みをするときに、（３）「現実の店舗（百貨店などの小売店、又は、レストランなどの料理店）」の店内で購入又は注文を検討するときに、（４）「カタログ通信販売」若しくは「寿司やピザなどの料理の出前の広告」を利用して購入又は注文を検討するときに、又は、（５）「現実の小売店舗」において販売用に陳列された個々の食品の食品の映像をインターネット経由で送信してもらってその食品の購入又は注文を検討するときに、予め、その食品もしくは飲料又は料理の味が自分の味の嗜好に合致しているかどうか（自分の味の嗜好と相性が良いかどうか）を確認した上で（すなわち、仮想的に「試食又は試飲」をした上で）、購入又は注文の申し込みをすることができるようになる。
【図面の簡単な説明】
【図１】本発明の実施形態１を説明するための図である。
【図２】本発明の実施形態２を説明するための図である。
【図３】本発明の実施形態３を説明するための図である。
【図４】本発明の実施形態４を説明するための図である。
【図５】本発明の実施形態５を説明するための図である。
【図６】本発明の実施形態６を説明するための図である。
【図１】
0004366769.tif 000002
【図２】
0004366769.tif 000003
【図３】
0004366769.tif 000004
【図４】
0004366769.tif 000005
【図５】
0004366769.tif 000006
【図６】
0004366769.tif 000007